(57)【要約】【課題】圧接処理によってデイジーチェーン型の通信方式に対応可能な通信制御ＩＣ用コネクタを得る。【解決手段】ハウジング部１の圧接領域１Ｂにおいて、通信用圧接リード２１とＩＣ用電源線Ｌ１とが圧接点Ｐ１における圧接処理により電気的に接続され、通信用圧接リード２３とＩＣ用アース線Ｌ３とが圧接点Ｐ３における圧接処理により電気的に接続される。さらに、通信制御ＩＣ１０の通信方式がデイジーチェーン型の場合、通信制御ＩＣ１０における第１及び第２の通信制御用端子として用いられる通信用圧接リード２２ａ及び２２ｂがそれぞれ圧接点Ｐ２ａ及びＰ２ｂにおける圧接処理により通信制御信号線Ｌ２に電気的に接続される。コネクタ部２には共通信号線Ｌ１〜Ｌ３上における圧接点Ｐ１，Ｐ２ａ，Ｐ２ｂ及びＰ３が上部から切断及び目視可能な開口部３が設けられている。【選択図】図１
2011249023.tif 000002
【特許請求の範囲】
【請求項１】
所定の通信制御ＩＣを収納可能なＩＣ収納部と、
前記所定の通信制御ＩＣが第１及び第２の通信用圧接リードを用いた第１の通信方式を採用している場合、前記ＩＣ収納部で収納された状態の前記所定の通信制御ＩＣの前記第１及び第２の通信用圧接リードと所定の外部通信制御信号線とを、第１及び第２の圧接用接続部材を用いて前記所定の外部通信制御信号線上における第１及び第２の圧接点で圧接可能な圧接領域とを備え、
前記圧接領域は前記第１及び第２の圧接点間における前記所定の外部通信制御信号線上の切断箇所を切断可能な開口部を有することを特徴とする、
通信制御ＩＣ用コネクタ。
【請求項２】
請求項１記載の通信制御ＩＣ用コネクタであって、
前記圧接領域は、
前記所定の通信制御ＩＣが単一の通信用圧接リードを用いた第２の通信方式を採用している場合、前記ＩＣ収納部で収納された状態の前記所定の通信制御ＩＣの前記単一の通信用圧接リードと前記所定の外部通信制御信号線とを、一の圧接用接続部材を用いて一の圧接点で圧接可能である、
通信制御ＩＣ用コネクタ。
【請求項３】
請求項１あるいは請求項２記載の通信制御ＩＣ用コネクタであって、
前記通信制御ＩＣは複数の外部入出力用リードをさらに有し、前記複数の外部入力リード部の接続関係の切換が可能であり、
前記複数の外部の外部入出力用リードと外部の入出力信号用端子との電気的に接続可能なコネクタ部をさらに備える、
通信制御ＩＣ用コネクタ。
【請求項４】
請求項１ないし請求項３のうち、いずれか１項に記載の通信制御ＩＣ用コネクタであって、
前記ＩＣ収納部及び前記圧接領域を含むハウジング部と、
前記ハウジング部に連結して接続され、所定のワイヤーハーネスに固定可能な固定用補助材とをさらに備える、
通信制御ＩＣ用コネクタ。
【発明の詳細な説明】
【技術分野】
【０００１】
この発明は、自動車等に用いられる通信制御ＩＣを収納可能な通信制御ＩＣ用コネクタに関する。
【背景技術】
【０００２】
近年、自動車では電子制御機器の増加により通信制御ＩＣ等の通信制御ユニットへの回路集中・肥大化が進んでいる。自動車の特徴として、車両各部にアクチュエータ、スイッチ、センサ等の電装品が満遍なく分散配置されているため、これら電装品間をデータ通信により分散して制御する傾向が強まっている。
【０００３】
上述したデータ通信を実現するための通信制御ＩＣを内蔵したコネクタとして、例えば、特許文献１で開示され通信制御ＩＣ内蔵コネクタがある。この通信制御ＩＣ内蔵コネクタは、通信制御ＩＣのリード部と複数の通信制御ＩＣ間で共用される外部通信線との接続を圧接により行っている。
【先行技術文献】
【特許文献】
【０００４】
【特許文献１】特許第４３４６５９２号公報
【発明の概要】
【発明が解決しようとする課題】
【０００５】
特許文献１で代表される従来の通信制御ＩＣ内蔵コネクタは、一種類の通信方式（バス型）のみ対応する方式であり、他の種類の通信方式（デイジーチェーン型）による接続を考慮していないため、複数の通信方式（通信トポロジー）を用いる通信制御ＩＣに対応することができないという問題点があった。
【０００６】
この発明は上記問題点を解決するためになされたもので、圧接処理によってデイジーチェーン型の通信方式に対応可能な通信制御ＩＣ用コネクタを得ることを目的とする。
【課題を解決するための手段】
【０００７】
この発明に係る請求項１記載の通信制御ＩＣ用コネクタは、所定の通信制御ＩＣを収納可能なＩＣ収納部と、前記所定の通信制御ＩＣが第１及び第２の通信用圧接リードを用いた第１の通信方式を採用している場合、前記ＩＣ収納部で収納された状態の前記所定の通信制御ＩＣの前記第１及び第２の通信用圧接リードと所定の外部通信制御信号線とを、第１及び第２の圧接用接続部材を用いて前記所定の外部通信制御信号線上における第１及び第２の圧接点で圧接可能な圧接領域とを備え、前記圧接領域は前記第１及び第２の圧接点間における前記所定の外部通信制御信号線上の切断箇所を切断認可能な開口部を有する。
【０００８】
請求項２記載の本願発明の通信制御ＩＣ用コネクタは、請求項１記載の通信制御ＩＣ用コネクタであって、前記圧接領域は、前記所定の通信制御ＩＣが単一の通信用圧接リードを用いた第２の通信方式を採用している場合、前記ＩＣ収納部で収納された状態の前記所定の通信制御ＩＣの前記単一の通信用圧接リードと前記所定の外部通信制御信号線とを、一の圧接用接続部材を用いて一の圧接点で圧接可能である。
【０００９】
請求項３記載の本願発明の通信制御ＩＣ用コネクタは、請求項１あるいは請求項２記載の通信制御ＩＣ用コネクタであって、前記通信制御ＩＣは複数の外部入出力用リードをさらに有し、前記複数の外部入力リード部の接続関係の切換が可能であり、前記複数の外部の外部入出力用リードと外部の入出力信号用端子との電気的に接続可能なコネクタ部をさらに備える。
【００１０】
請求項４記載の本願発明の通信制御ＩＣ用コネクタは、請求項１ないし請求項３のうち、いずれか１項に記載の通信制御ＩＣ用コネクタであって、前記ＩＣ収納部及び前記圧接領域を含むハウジング部と、前記ハウジング部に連結して接続され、所定のワイヤーハーネスに固定可能な固定用補助材とをさらに備える。
【発明の効果】
【００１１】
この発明における請求項１記載の通信制御ＩＣ用コネクタの圧接領域は第１及び第２の圧接点間における所定の外部通信制御信号線上の切断箇所を切断可能な開口部を有するため、所定の通信制御ＩＣの第１及び第２の通信用圧接リードと所定の外部通信制御信号線との圧接後に、開口部から所定の外部通信制御信号線上の上記切断箇所を切断することにより、複数の所定の通信制御ＩＣ間におけるデイジーチェーン型接続に代表される第１の通信方式を実現することができる。
【００１２】
その結果、第１の通信方式を用いた複数の所定の通信制御用ＩＣ間の通信を、個々の通信制御用ＩＣに関し圧接領域において第１及び第２の通信用圧接リードと所定の外部通信制御信号線とを圧接した後、上記切断箇所を切断するという圧接処理による比較的簡単な接続方法により実現することができる効果を奏する。
【００１３】
さらに、請求項２記載の本願発明である通信制御ＩＣ用コネクタは、所定の通信制御ＩＣが単一の通信用圧接リードを用いた第２の通信方式である場合は、ＩＣ収納部で収納された状態の所定の通信制御ＩＣの単一の通信用圧接リードと所定の外部通信制御信号線とを、一の圧接用接続部材を用いて一の圧接点で圧接することにより、実現することができる。
【００１４】
すなわち、請求項２記載の本願発明の通信制御ＩＣ用コネクタは、所定の通信制御用ＩＣが第１及び第２の通信方式のいずれを採用している場合でも用いることができるため、汎用性が高いという効果を奏する。
【００１５】
さらに、請求項３記載の本願発明は、さらにコネクタ部を有することにより外部の入出力信号端子との電気的に接続をも兼ね、いわゆるジャンクションコネクタとしての機能も発揮することができる。
【００１６】
請求項４記載の本願発明である通信制御ＩＣ用コネクタは、固定補助部材を用いて所定のワイヤーハーネス上に固定することができるため、その配置自由度を高めることができる。
【図面の簡単な説明】
【００１７】
【図１】この発明の実施の形態である通信制御ＩＣ用コネクタの構造を模式的に示す説明図である。
【図２】本実施の形態通信制御ＩＣ用コネクタの通信制御ＩＣとの信号接続関係を模式的に示す説明図である。
【図３】通信制御ＩＣがデイジーチェーン型通信制御ＩＣの場合の共通信号線との接続関係を模式的に示す説明図である。
【図４】各々がデイジーチェーン型の通信方式を採用した複数の通信制御ＩＣ間の共通信号線との接続関係を模式的に示す説明図である。
【図５】通信制御ＩＣがバス型通信制御ＩＣの場合の共通信号線との接続関係を模式的に示す説明図である。
【図６】各々がバス型の通信方式を採用した複数の通信制御ＩＣ間の共通信号線との接続関係を模式的に示す説明図である。
【図７】通信制御ＩＣの通信用圧接リードと共通信号線との圧接による電気的に接続内容の詳細（上面）を示すデイジーチェーン型の通信方式の説明図である。
【図８】通信制御ＩＣの通信用圧接リードと共通信号線との圧接による電気的に接続内容の詳細（側部断面）を示す説明図である。
【図９】通信制御ＩＣの通信用圧接リードと共通信号線との圧接による電気的に接続内容の詳細（下面）を示す説明図である。
【図１０】通信制御ＩＣの通信用圧接リードと共通信号線との圧接による電気的に接続内容の詳細（上面）を示すバス型の通信方式の説明図である。
【図１１】ワイヤーハーネスへの通信制御ＩＣ内蔵コネクタの第１の固定例における固定状態を示す説明図である。
【図１２】第１の固定例に用いられる拘束ベルトを模式的に示す説明図である。
【図１３】第２の固定例に用いられるベロ部を模式的に示す説明図である。
【発明を実施するための形態】
【００１８】
（構造）
図１はこの発明の実施の形態である通信制御ＩＣ用コネクタの構造を模式的に示す説明図である。図２は本実施の形態通信制御ＩＣ用コネクタの通信制御ＩＣ１０との信号接続関係を模式的に示す説明図である。
【００１９】
これら図に示すように、本実施の形態の通信制御ＩＣ用コネクタ５は、ハウジング部１並びにコネクタ部２ａ及び２ｂから構成される。コネクタ部２ａ及び２ｂ内には所定の端子を収容すべくそれぞれの突出面に複数の開口部５２が設けられている。
【００２０】
ハウジング部１は内部に通信制御ＩＣ１０を収納可能なＩＣ収納部１Ａと、通信制御ＩＣ１０の通信用圧接リード２１〜２３（２１，２２ａ，２２ｂ及び２３）と複数の通信制御ＩＣ間で通信用に共通利用される共通信号線Ｌ１〜Ｌ３とを圧接により電気的に接続するための圧接領域１Ｂとを有している。
【００２１】
共通信号線Ｌ１〜Ｌ３において、Ｌ１はＩＣ用電源線であり、Ｌ２は通信制御信号線（所定の外部通信制御信号線）であり、Ｌ３はＩＣ用アース線である。そして、電源端子として用いられる通信用圧接リード２１とＩＣ用電源線Ｌ１とが圧接点Ｐ１における圧接処理により電気的に接続され、アース端子として用いられる通信用圧接リード２３とＩＣ用アース線Ｌ３とが圧接点Ｐ３における圧接処理により電気的に接続される。
【００２２】
さらに、通信制御ＩＣ１０の通信方式がデイジーチェーン型（第１の通信方式）の場合、通信制御ＩＣ１０における第１及び第２の通信制御用端子として用いられる通信用圧接リード２２ａ及び２２ｂがそれぞれ圧接点Ｐ２ａ及びＰ２ｂにおける圧接処理により通信制御信号線Ｌ２に電気的に接続される。そして、圧接領域１Ｂの上面の一部において、圧接点Ｐ２ａ，圧接点Ｐ２ｂ間における通信制御信号線Ｌ２が上部から切断及び目視可能な開口部３が設けられている。
【００２３】
一方、通信制御ＩＣ１０の通信方式がバス型（第２の通信方式）の場合、通信制御ＩＣ１０における単一通信制御用端子として用いられる通信用圧接リード（図１及び図２では便宜上、「２２ａ」で示す）が一の圧接点（図１及び図２では便宜上、「Ｐ２ａ」で示す）における圧接処理により通信制御信号線Ｌ２に電気的に接続される。この場合、通信用圧接リード２２ｂ及び圧接点Ｐ２ｂは存在しない。
【００２４】
図２に示すように、ＩＣ収納部１Ａ内に収納された通信制御ＩＣ１０から伸びる、あるいはコネクタ部２ａ及び２ｂそれぞれ内で接続される機器用圧着リード群２８ａ及び２８ｂ（外部入出力用リード）はコネクタ部２ａ及び２ｂ内において圧着により所定箇所に固定される。一方、通信制御ＩＣ１０内での信号切換処理によって、機器用圧着リード群２８ａ内における信号接続関係、機器用圧着リード群２８ｂ内における信号接続関係、及び機器用圧着リード群２８ａ及び２８ｂ間における信号接続関係を適宜切り替えることができる。
【００２５】
コネクタ部２ａ及び２ｂは、それぞれ外部の図示しない電装品側のコネクタ（機器側コネクタ）が対応する開口部５２に差し込まれることにより、機器用圧着リード群２８ａ及び２８ｂと対応する電装品における信号線との電気的に接続を図ることができる。なお、電装品として、例えば、電子ユニット、アクチュエータ、スイッチ、センサ等が考えられる。
【００２６】
（通信方式による接続内容）
（デイジーチェーン型通信制御ＩＣ３１の場合）
図３は通信制御ＩＣ１０がデイジーチェーン型通信制御ＩＣ３１の場合の共通信号線Ｌ１〜Ｌ３との接続関係を模式的に示す説明図である。同図に示すように、デイジーチェーン型通信制御ＩＣ３１と共通信号線Ｌ１〜Ｌ３との間において、通信用圧接リード２１，ＩＣ用電源線Ｌ１間、通信用圧接リード２２ａ，通信制御信号線Ｌ２間、通信用圧接リード２２ｂ，通信制御信号線Ｌ２間、及び通信用圧接リード２３，ＩＣ用アース線Ｌ３間が圧接点Ｐ１，Ｐ２ａ，Ｐ２ｂ及びＰ３における圧接処理により電気的に接続される。
【００２７】
そして、圧接点Ｐ２ａ，圧接点Ｐ２ｂ間における通信制御信号線Ｌ２の切断箇所９がニッパー等の切断手段を用いて接続される。
【００２８】
他のデイジーチェーン型通信制御ＩＣ３１（通信制御ＩＣ１０）においても、図３に示すように、共通信号線Ｌ１〜Ｌ３に接続することにより、複数の通信制御ＩＣ１０間におけるデイジーチェーン型の通信方式を実現することができる。ただし、隣接する通信制御ＩＣ３１，３１間において共用される通信制御信号線Ｌ２に対し、一方の通信用圧接リード２２ａと他方の通信用圧接リード２２ｂとが電気的に接続されるようにする必要がある。
【００２９】
図４は各々がデイジーチェーン型の通信方式を採用した複数の通信制御ＩＣ１１〜ＩＣ１３間の共通信号線Ｌ１〜Ｌ３との接続関係を模式的に示す説明図である。
【００３０】
同図に示すように、通信制御ＩＣ１１〜ＩＣ１３間において、通信用圧接リード２１をＩＣ用電源線Ｌ１に共通に接続し、通信用圧接リード２３をＩＣ用アース線Ｌ３に共通に接続している。
【００３１】
そして、通信制御ＩＣ１１〜ＩＣ１３のうち互いに隣接する通信制御ＩＣ間の切断箇所９で切断されることなく共用される通信制御信号線Ｌ２に対し、一方の通信用圧接リード２２ａと他方の通信用圧接リード２２ｂとが電気的に接続されるようにしている。なお、専用リード群ＳＬ１〜ＳＬ３はそれぞれ図２で示した機器用圧着リード群２８ａ及び２８ｂに相当する。
【００３２】
（バス型通信制御ＩＣ３２の場合）
図５は通信制御ＩＣ１０がバス型通信制御ＩＣ３２の場合の共通信号線Ｌ１〜Ｌ３との接続関係を模式的に示す説明図である。同図に示すように、バス型通信制御ＩＣ３２と共通信号線Ｌ１〜Ｌ３との間において、通信用圧接リード２１，ＩＣ用電源線Ｌ１間、通信用圧接リード２２，通信制御信号線Ｌ２間、及び通信用圧接リード２３，ＩＣ用アース線Ｌ３間が圧接点Ｐ１，Ｐ２及びＰ３における圧接処理より電気的に接続される。
【００３３】
他のバス型通信制御ＩＣ３２（通信制御ＩＣ１０）においても、図５に示すように、共通信号線Ｌ１〜Ｌ３に接続することにより、複数の通信制御ＩＣ１０間におけるバス型接続を実現することができる。
【００３４】
このように、通信制御ＩＣ１０の通信方式がバス型（第２の通信方式）の場合、通信制御ＩＣ１０における単一の通信制御用端子として用いられる単一の通信用圧接リード２２のみが通信制御信号線Ｌ２に電気的に接続される。すなわち、通信制御ＩＣ１０がバス型の場合、２本目の通信用圧接リード（図３における通信用圧接リード２２ｂに相当）が存在しない。
【００３５】
図６は各々がバス型の通信方式を採用した複数の通信制御ＩＣ６１〜ＩＣ６３間の共通信号線Ｌ１〜Ｌ３との接続関係を模式的に示す説明図である。
【００３６】
同図に示すように、通信制御ＩＣ６１〜ＩＣ６３間において、通信用圧接リード２１をＩＣ用電源線Ｌ１に共通に接続し、通信用圧接リード２３をＩＣ用アース線Ｌ３に共通に接続し、通信用圧接リード２２を通信制御信号線Ｌ２に共通接続している。なお、専用リード群ＳＬ１１〜ＳＬ１３はそれぞれ図２で示した機器用圧着リード群２８ａ及び２８ｂに相当する。
【００３７】
（通信用圧接リードの圧接内容）
図７〜図９は通信制御ＩＣ１０がデイジーチェーン型通信制御ＩＣ３１の場合の通信用圧接リード２１〜２３（２１，２２ａ，２２ｂ及び２３）と共通信号線Ｌ１〜Ｌ３との圧接による電気的に接続内容の詳細を示す説明図である。図７は圧接領域１Ｂの上面から視た平面図、図８は圧接領域１ＢのＡ−Ａ断面（側部断面）図、図９は圧接領域１Ｂの下面から視た平面図である。
【００３８】
図７に示すように、通信用圧接リード２１〜２３は通信制御ＩＣ１０から直接のびる端子として設けられている。なお、通信用圧接リード２１〜２３は、図７で示した構成以外でも通信制御ＩＣ１０の通信用に用いる端子に電気的に接続されている中間的リードであっても良い。
【００３９】
これらの図に示すように、通信用圧接リード２１，ＩＣ用電源線Ｌ１間に交差接続子４１が介挿され、通信用圧接リード２３，ＩＣ用アース線Ｌ３間に交差接続子４３が介挿される。そして、通信用圧接リード２２ａ，通信制御信号線Ｌ２間に交差接続子４２ａが介挿され、通信用圧接リード２２ｂ，通信制御信号線Ｌ２間に交差接続子４２ｂが介挿される。
【００４０】
圧接用接続部材である交差接続子４１〜４３（４１，４２ａ、Ｐ４２ｂ及び４３）は、一端側に通信用圧接リード２１〜２３（２１，２２ａ，２２ｂ及び２３）を圧接接続する圧接端子（溝４４を含む）を有し、他端側に共通信号線Ｌ１〜Ｌ３（Ｌ１，Ｌ２，Ｌ２及びＬ３）を圧接接続する圧接端子（溝４５を含む）を有するものである。両端の圧接端子は溝４４，４５の方向が直角になるように形成されている。
【００４１】
そして、図７及び図８に示すように、交差接続子４１〜４３の一端側の溝４４に通信用圧接リード２１〜２３を挿入した状態で圧接接続する。同様に、図８及び図９に示すように、交差接続子４１〜４３の他端側の溝４５に共通信号線Ｌ１〜Ｌ３を挿入した状態で圧接接続する。
【００４２】
その結果、図７〜図９に示すように、通信用圧接リード２１，ＩＣ用電源線Ｌ１間は交差接続子４１を介して電気的に接続され、通信用圧接リード２３，ＩＣ用アース線Ｌ３間は交差接続子４３を介して電気的に接続される。そして、通信用圧接リード２２ａ，通信制御信号線Ｌ２間は交差接続子４２ａを介して電気的に接続され、通信用圧接リード２２ｂ，通信制御信号線Ｌ２間は交差接続子４２ｂを介して電気的に接続される。そして、交差接続子４１〜４３部分が共通信号線Ｌ１〜Ｌ３上における圧接点Ｐ１〜Ｐ３となる。
【００４３】
その後、開口部３により目視可能な圧接点Ｐ２ａ，Ｐ２ｂ間における通信制御信号線Ｌ２上の切断箇所９内で切断することより、通信制御ＩＣ１０の通信用圧接リード２１〜２３と共通信号線Ｌ１〜Ｌ３との間におけるデイジーチェーン型の通信方式による接続が完了する。この際、開口部３の存在により、通信制御信号線Ｌ２上における交差接続子４２ａ及び４２ｂ（圧接点Ｐ２ａ及びＰ２ｂ）間上の領域は完全に露出しているため、目視にて切断箇所９の位置を確認しながらニッパー等の切断手段を用いて正確に切断箇所９を切断することができる。
【００４４】
図１０は通信制御ＩＣ１０がバス型通信制御ＩＣ３２の場合の通信用圧接リード２１〜２３（２１，２２及び２３）と共通信号線Ｌ１〜Ｌ３との圧接による電気的に接続内容の詳細を示す、圧接領域１Ｂの上面から視た平面図である。なお、図８は圧接領域１ＢのＢ−Ｂ断面（側部断面）に相当する。ただし、図８において、通信用圧接リード２２ａ及び交差接続子４２ａが図１０の通信用圧接リード２２、交差接続子４２及びに対応し、通信用圧接リード２２ｂ及び交差接続子４２ｂに相当する構成が存在しない。
【００４５】
図１０に示すように、通信用圧接リード２１〜２３は通信制御ＩＣ１０から直接のびる端子として設けられている。なお、通信用圧接リード２１〜２３は、図１０で示した構成以外でも通信制御ＩＣ１０の通信用に用いる端子に電気的に接続されている中間的リードであっても良い。
【００４６】
図１０に示すように、通信用圧接リード２１，ＩＣ用電源線Ｌ１間に交差接続子４１が介挿され、通信用圧接リード２３，ＩＣ用アース線Ｌ３間に交差接続子４３が介挿される。そして、通信用圧接リード２２，通信制御信号線Ｌ２間に交差接続子４２が介挿される。これら交差接続子４１〜４３によって、通信制御ＩＣ１０がデイジーチェーン型通信制御ＩＣ３１の場合と同様に圧接接続される。
【００４７】
このようにして、通信制御ＩＣ１０の通信用圧接リード２１〜２３と共通信号線Ｌ１〜Ｌ３との間におけるバス型の通信方式による接続が完了する。
【００４８】
（効果）
このように、本実施の形態の通信制御ＩＣ用コネクタ５の圧接領域１Ｂは、圧接点Ｐ２ａ及びＰ２ｂ（第１及び第２の圧接点）間における通信制御信号線Ｌ２（所定の外部通信信号線）上の切断箇所９を切断可能な開口部３を有している。
【００４９】
このため、通信制御ＩＣ１０の通信用圧接リード２２ａ及び２２ｂ（第１及び第２の通信制御用リード部）と通信制御信号線Ｌ２との交差接続子４２ａ及び４２ｂを用いた圧接処理後に、開口部３から圧接点Ｐ２ａ及びＰ２ｂ間における通信制御信号線Ｌ２の切断箇所９を切断することにより、複数の通信制御ＩＣ間におけるデイジーチェーン型接続を行うことができる。
【００５０】
その結果、デイジーチェーン型接続により実現可能な第１の通信方式を用いた複数の通信制御用ＩＣ間の通信を、個々の通信制御用ＩＣ（通信制御ＩＣ１０相当）に関し開口部３において通信用圧接リード２２ａ及び２２と通信制御信号線Ｌ２とを圧接するという比較的簡単な圧接処理による接続により実現することができる効果を奏する。
【００５１】
さらに、本実施の形態の通信制御ＩＣ用コネクタは、通信制御ＩＣ１０が単一の通信制御用リードである通信用圧接リード２２を有するバス型の通信方式（第２の通信方式）による接続も可能である。すなわち、上述したように、ＩＣ収納部１Ａで収納された状態の通信制御ＩＣ１０の通信用圧接リード２２（図１０参照）と通信制御信号線Ｌ２とを、単一の圧接用接続部材（図１０では交差接続子４２）を用いて一の圧接点（図１０では圧接点Ｐ２）で圧接することにより、バス型の接続を実現することができる。
【００５２】
このように、本実施の形態の通信制御ＩＣ用コネクタは、通信制御ＩＣ１０がデイジーチェーン型及びバス型のいずれを採用している場合でも対応可能できるため、汎用性が高いという効果を奏する。
【００５３】
さらに、本実施の形態の通信制御ＩＣ用コネクタは、コネクタ部２ａ及び２ｂを有することにより電装品等の外部機器の入出力信号端子との電気的に接続をも兼ね、いわゆるジャンクションコネクタ（ジョイントコネクタ）としての機能も発揮することができる。
【００５４】
（ワイヤーハーネス５０への固定）
本実施の形態の通信制御ＩＣ用コネクタ５は、上述したように通信制御ＩＣ１０を内部にＩＣ収納部１Ａに収納しているのみの比較的簡易な構成であるため、小型・軽量化することができ、以下に示すようにワイヤーハーネスへの固定も比較的容易に行える。
【００５５】
図１１及び図１２は本実施の形態の通信制御ＩＣ用コネクタ５の複数の電線群を被覆してなるワイヤーハーネス５０への第１の固定例を示す説明図である。図１１はワイヤーハーネス５０への通信制御ＩＣ用コネクタ５の固定状態を示し、図１２は解放状態の拘束ベルト７を模式的に示している。図１１に示すように、ワイヤーハーネス５０の複数の電線群の一部がコネクタ部２ａ及び２ｂに接続され、他の一部が圧接領域１Ｂに接続される。
【００５６】
図１２に示すように、ハウジング部１のベルト装着部１Ｃ（図１１では図示省略）から延在して形成される拘束ベルト７を、図１１に示すように、ワイヤーハーネス５０の外周部に沿って巻き込み、所定のベルト留め部（図示せず）で留めることにより、通信制御ＩＣ用コネクタ５をワイヤーハーネス５０上に固定することができる。
【００５７】
図１３は通信制御ＩＣ用コネクタ５の第２の固定例を示すための説明図である。同図に示すように、圧接領域１Ｂの底部から、コネクタ部２ａ及び２ｂの形成方向に平行に所定の平面領域を有するベロ部８ａ及び８ｂを設けている。
【００５８】
このようなベロ部８ａ及び８ｂを有する通信制御ＩＣ用コネクタ５をワイヤーハーネス５０上に仮配置し、ワイヤーハーネス５０の外周部に沿ってこれらベロ部８ａ及び８ｂをテープ巻きすることにより、ワイヤーハーネス５０に通信制御ＩＣ用コネクタ５を固定することができる。
【００５９】
このように、通信制御ＩＣ用コネクタ５は、比較的簡易な固定用補助材（拘束ベルト７，ベロ部８ａ及び８ｂ）を追加的に有することにより、上記の第１及び第２の固定例で示すように、通信制御ＩＣ用コネクタ５をワイヤーハーネス５０上に固定することができる。このため、通信制御ＩＣ用コネクタ５の配置自由度を高めることができる効果を奏する。
【００６０】
以下、この点を詳述する。例えば、所定の電子ユニット内の予め定められた箇所にユニット接続コネクタとして通信制御ＩＣ用コネクタ５を内蔵する場合、通信制御ＩＣ用コネクタ５が配置される場所は必然的に電子ユニットの位置に制限されてしまう。
【００６１】
これに対して、本実施の形態の通信制御ＩＣ用コネクタ５は、単独で存在しており、電子ユニット内に内蔵される場合のような制限はないため、ワイヤーハーネス５０が通る場所であればどのような場所でも配置することができ、配置自由度を高めることができる。
【００６２】
（その他）
圧接領域１Ｂにおいて通信用圧接リード２１〜２３の接続対象となる共通信号線Ｌ１〜Ｌ３として、ディスクリート線の他、ＦＦＣ(Flexible Flat Cable)、ＦＰＣ(Flexible Print Circuit)、及びＦＣ（Flat Cable)等への適用が可能である。
【符号の説明】
【００６３】
１  ハウジング部
１Ａ  ＩＣ収納部
１Ｂ  圧接領域
２ａ，２ｂ  コネクタ部
３  開口部
５  通信制御ＩＣ内蔵コネクタ
２１，２２ａ，２２ｂ，２３  通信用圧接リード
４１，４２ａ，４２ｂ，４３  交差接続子
Ｌ１  ＩＣ用電源線
Ｌ２  通信制御信号線
Ｌ３  ＩＣ用アース線
Ｐ１，Ｐ２ａ，Ｐ２ｂ，Ｐ３  圧接点
【図１】
2011249023.tif 000003
【図２】
2011249023.tif 000004
【図３】
2011249023.tif 000005
【図４】
2011249023.tif 000006
【図５】
2011249023.tif 000007
【図６】
2011249023.tif 000008
【図７】
2011249023.tif 000009
【図８】
2011249023.tif 000010
【図９】
2011249023.tif 000011
【図１０】
2011249023.tif 000012
【図１１】
2011249023.tif 000013
【図１２】
2011249023.tif 000014
【図１３】
2011249023.tif 000015